(57)【要約】  チューナ制御部（４０）は、９ｋＨｚの受信ステップと１０ｋＨｚの受信ステップとで交互に受信周波数を順にチューナ回路（３）に設定する。受信可否判定部（４１）は、受信周波数の放送が受信可能であるか否かを判定する。受信ステップ決定部（４２）は、受信可否判定部（４１）の判定結果に基づいて、９ｋＨｚの受信ステップと１０ｋＨｚの受信ステップのうちから、ＡＭラジオ放送の受信ステップを決定する。
2017077593.tif 000002
【特許請求の範囲】
【請求項１】
受信対象の放送周波数帯域において異なる受信ステップで交互に受信周波数をチューナ回路に設定するチューナ制御部と、
前記チューナ制御部により前記チューナ回路に設定された受信周波数の放送が受信可能であるか否かを判定する受信可否判定部と、
前記受信可否判定部の判定結果に基づいて、前記異なる受信ステップのうちから、前記受信対象の放送周波数帯域の受信ステップを決定する受信ステップ決定部と
を備えたことを特徴とする放送受信機。
【請求項２】
前記チューナ制御部は、前記受信可否判定部によって受信周波数の放送が受信可能であると判定されると、このときの受信ステップで受信周波数を順に前記チューナ回路に設定し、
前記受信ステップ決定部は、前記チューナ制御部によって順に前記チューナ回路に設定された受信周波数の放送が予め定められた回数以上連続して前記受信可否判定部によって受信可能と判定された場合に、このときの受信ステップを前記受信対象の放送周波数帯域の受信ステップに決定することを特徴とする請求項１記載の放送受信機。
【請求項３】
前記チューナ制御部は、前記異なる受信ステップのいずれかの受信ステップが確定している場合、前記受信対象の放送周波数帯域において当該受信ステップで前記チューナ回路に設定し、当該受信ステップで前記チューナ回路に設定した全ての受信周波数の放送が、前記受信可否判定部により受信不可能と判定されると、前記異なる受信ステップで交互に受信周波数を前記チューナ回路に設定することを特徴とする請求項１記載の放送受信機。
【発明の詳細な説明】
【技術分野】
【０００１】
この発明は、ＡＭ（Ａｍｐｌｉｔｕｄｅ  Ｍｏｄｕｌａｔｉｏｎ）ラジオなどのように放送される地域によって放送用搬送波の周波数間隔が異なる放送波を受信する放送受信機に関する。
【背景技術】
【０００２】
ＡＭラジオの放送用搬送波の周波数間隔は、地域によって９ｋＨｚと１０ｋＨｚに分かれている。例えば、日本、豪州、欧州などは９ｋＨｚであり、米国、カナダなどでは１０ｋＨｚである。このため、放送受信機は、ＡＭラジオの放送局からの放送を順に受信する場合、この放送受信機が存在する地域に対応した上記周波数間隔の受信ステップで放送の受信が行われる。従って、放送受信機が設定済みの受信ステップとは異なる受信ステップに対応する地域に移動した場合、放送受信機は、移動先の地域に対応する受信ステップに切り替える必要がある。【０００３】
受信ステップの切り替えに関する従来の技術としては、例えば特許文献１に記載される装置がある。この装置では、ユーザによって釦が押された時間に応じて、ＡＭラジオ放送の受信ステップを切り替えている。この装置を備えることで、放送受信機が受信ステップの異なる地域に移動しても、移動先の地域に対応した受信ステップに切り替えることができる。【０００４】
また、特許文献２には、移動先の地域に対応した受信ステップに自動で切り替えるＡＭ受信機が記載されている。このＡＭ受信機は、異なる受信ステップのうちの一方の走査で得られた電界強度レベルともう一方の走査で得られた電界強度レベルとを比較して、電界強度レベルの大きい方の受信ステップに自動で切り替える。
【先行技術文献】
【特許文献】
【０００５】
【特許文献１】特開平２−２０５１０８号公報
【特許文献２】特開昭５８−８５６２３号公報
【発明の概要】
【発明が解決しようとする課題】
【０００６】
特許文献１に記載される装置は、ＡＭラジオの受信ステップが地域によって異なることをユーザが認識していなければ、釦操作が行われないため、移動元の地域に対応した受信ステップが放送受信機に設定されたままとなる。この場合、受信ステップのずれで放送の受信特性が劣化しても、ユーザは、移動元の地域に対応する受信ステップが誤設定されていることに気付かず、放送の受信特性が劣化した状態がずっと継続されてしまう可能性がある。【０００７】
一方、特許文献２に記載されるＡＭ受信機は、受信ステップが異なる地域間を移動しても、移動先の地域に対応した受信ステップに自動で切り替えることができる。
しかしながら、このＡＭ受信機では、一方の受信ステップで受信周波数を順に設定して一定レベル以上の電界強度が検出されると、引き続きもう一方の受信ステップで受信周波数を設定して電界強度を検出している。
このため、一方の受信ステップで受信周波数の走査を開始すると、一定レベル以上の電界強度が検出されるまで、もう一方の受信ステップでの受信周波数の走査が実施できず、受信ステップの判定の効率が悪いという課題があった。【０００８】
例えば、１０ｋＨｚの受信ステップに対応する地域において、９ｋＨｚの受信ステップでの受信周波数の走査が開始されると、９ｋＨｚの受信ステップで設定可能な５２２ｋＨｚから１６２９ｋＨｚまでの全ての周波数を走査しなければ、１０ｋＨｚの受信ステップでの受信周波数の走査に移行できない。
従って、現在の地域に対応した受信ステップの判定に長時間を要す可能性がある。このように受信ステップが確定されない間は、放送の受信が不可になるかまたは受信ステップがずれた状態で放送が受信されることになる。【０００９】
この発明は上記課題を解決するもので、現在の地域に対応した受信ステップを効率よく判定して自動で切り替えることができる放送受信機を得ることを目的とする。
【課題を解決するための手段】
【００１０】
この発明に係る放送受信機は、チューナ制御部、受信可否判定部、受信ステップ決定部を備える。チューナ制御部は、受信対象の放送周波数帯域において異なる受信ステップで交互に受信周波数をチューナ回路に設定する。受信可否判定部は、チューナ制御部によりチューナ回路に設定された受信周波数の放送が受信可能であるか否かを判定する。受信ステップ決定部は、受信可否判定部の判定結果に基づいて異なる受信ステップのうちから、受信対象の放送周波数帯域の受信ステップを決定する。
【発明の効果】
【００１１】
この発明によれば、異なる受信ステップで交互に受信周波数をチューナ回路に設定して受信周波数の放送の受信可否を判定し、この判定結果に基づいて受信対象の放送周波数帯域の受信ステップを決定する。これにより、現在の地域に対応する受信ステップを効率よく判定することができ、その判定結果に基づいて受信ステップを自動で切り替えることができる。
【図面の簡単な説明】
【００１２】
【図１】この発明の実施の形態１に係る放送受信機の構成を示すブロック図である。
【図２】実施の形態１に係る放送受信機の機能構成を示すブロック図である。
【図３Ａ】実施の形態１に係る放送受信機の機能を実現するハードウェア構成を示すブロック図である。
【図３Ｂ】実施の形態１に係る放送受信機の機能を実現するソフトウェアを実行するハードウェア構成を示している。
【図４】実施の形態１に係る放送受信機の動作を示すフローチャートである。
【図５】実施の形態１に係る放送受信機の具体的な動作を示すフローチャートである。
【図６】受信周波数の設定動作の概要を示す図である。
【発明を実施するための形態】
【００１３】
以下、この発明をより詳細に説明するため、この発明を実施するための形態について、添付の図面に従って説明する。
実施の形態１．
図１は、この発明の実施の形態１に係る放送受信機１の構成を示すブロック図である。
放送受信機１は、地域によって放送用搬送波の周波数間隔が異なる放送を受信する放送受信機であり、例えば、車載用ラジオ放送受信機として実現される。この場合、放送受信機１は、１つのラジオ放送受信機として設けてもよいが、車載用オーディオ機器が有する機能の１つとして設けてもよい。
また、放送受信機１は、アンテナ２、スピーカ８およびモニタ９に接続しており、図１に示すように、チューナ回路３、制御部４、入力回路５、音声出力回路６および表示制御回路７を備える。
【００１４】
チューナ回路３は、アンテナ２で受信されたＲＦ（Ｒａｄｉｏ  Ｆｒｅｑｕｅｎｃｙ）信号から予め設定された受信周波数の受信信号を抽出する回路である。
制御部４は、マイクロコンピュータまたは専用の処理回路によって実現され、チューナ回路３および表示制御回路７の動作を制御する。例えば、チューナ回路３は、制御部４によって設定された受信周波数の受信信号をＲＦ信号から抽出する。
この発明における受信ステップの判定処理と切り替え処理は、制御部４の制御によって実行される。
【００１５】
入力回路５は、放送受信機１外部からの情報入力を受け付ける回路であり、タッチパネル、キーボタンなどを用いて入力された情報を制御部４へ出力する。
例えば、放送受信機１が、予め探索した受信可能な放送局の周波数をチャンネルごとに記憶させたプリセットメモリを有する場合、入力回路５は、プリセットメモリから所望の放送局のチャンネルを指定するプリセットキーの入力を受け付ける。
【００１６】
音声出力回路６は、チューナ回路３から入力した音声信号を増幅してスピーカ８に出力する回路である。表示制御回路７は、モニタ９における情報表示を制御する回路であり、例えば、制御部４からの指示により受信周波数を表示するようにモニタ９を制御する。
スピーカ８は、例えば、車内に配置された車載スピーカであり、ラジオ音声などの音声信号を出力する。モニタ９は、受信周波数などの各種情報が表示される表示装置である。
【００１７】
図２は、放送受信機１の機能構成を示すブロック図であり、制御部４により実現される機能を示している。制御部４は、図２に示すようにチューナ制御部４０、受信可否判定部４１および受信ステップ決定部４２を備える。
チューナ制御部４０は、ＡＭラジオの放送周波数帯域における受信ステップが確定されていない場合、この放送周波数帯域において９ｋＨｚの受信ステップと１０ｋＨｚの受信ステップとで交互に受信周波数をチューナ回路３に設定する。これにより、チューナ回路３は、アンテナ２で受信されたＲＦ信号から、チューナ制御部４０により設定された受信周波数の受信信号を抽出する。
また、チューナ回路３は、受信周波数の受信信号を抽出すると、この受信信号の電界強度をチューナ制御部４０へ出力する。
【００１８】
受信可否判定部４１は、チューナ制御部４０によりチューナ回路３に設定された受信周波数の放送が受信可能であるか否かを判定する。
例えば、受信可否判定部４１は、チューナ制御部４０から入力した受信信号の電界強度を予め設定された受信可能な電界強度の下限値と比較して、この下限値未満である場合、受信周波数の放送は受信不可であると判定し、下限値以上であれば、受信周波数の放送が受信可能であると判定する。
【００１９】
受信ステップ決定部４２は、受信可否判定部４１の判定結果に基づいて、９ｋＨｚの受信ステップと１０ｋＨｚの受信ステップのうちから、ＡＭラジオの放送周波数帯域の受信ステップを決定する。例えば、９ｋＨｚの受信ステップで設定された受信周波数の放送が受信可能と判定された場合、受信ステップ決定部４２は、ＡＭラジオの放送周波数帯域の受信ステップが９ｋＨｚであると決定してチューナ制御部４０に設定する。これにより、チューナ制御部４０は、ＡＭラジオの放送を受信するときに、９ｋＨｚの受信ステップで受信周波数を設定する。
【００２０】
従来の放送受信機では、前述したように、例えば９ｋＨｚの受信ステップで受信周波数の走査を開始すると、一定レベル以上の電界強度が検出されるまで１０ｋＨｚの受信ステップでの受信周波数の走査が実施できなかった。このため、１０ｋＨｚの受信ステップに対応する地域であると、９ｋＨｚの受信ステップで設定可能な５２２ｋＨｚから１６２９ｋＨｚまでの全ての周波数を走査しなければ、１０ｋＨｚの受信ステップでの受信周波数の走査に移行できなかった。
【００２１】
これに対して、この発明に係る放送受信機１では、９ｋＨｚの受信ステップでの受信周波数と１０ｋＨｚの受信ステップでの受信周波数とを交互に設定して受信ステップを判定している。従って、従来のように一方の受信ステップに偏って受信周波数の走査が行われることがなく、現在の地域に対応する受信ステップを効率よく判定することができる。
【００２２】
図３Ａは、放送受信機１の機能を実現するハードウェア構成、図３Ｂは、放送受信機１の機能を実現するソフトウェアを実行するハードウェア構成を示している。また図４は、放送受信機１の動作を示すフローチャートであり、放送受信機１は、図４に示されたステップを実行することで機能する。
放送受信機１におけるチューナ制御部４０、受信可否判定部４１、受信ステップ決定部４２の各機能は、処理回路により実現される。
すなわち、放送受信機１は、図４に示す受信対象の放送周波数帯域において異なる受信ステップで交互に受信周波数を設定するステップＳＴ１、チューナ制御部４０により設定された受信周波数の放送が受信可能であるか否かを判定するステップＳＴ２、受信可否判定部４１の判定結果に基づいて、異なる受信ステップのうちから、受信対象の放送周波数帯域の受信ステップを決定するステップＳＴ３を行うための処理回路を備えている。
処理回路は、専用のハードウェアであっても、メモリに格納されるプログラムを実行するＣＰＵ（Ｃｅｎｔｒａｌ  Ｐｒｏｃｅｓｓｉｎｇ  Ｕｎｉｔ）であってもよい。
【００２３】
図３Ａに示すように、上記処理回路が専用のハードウェアの処理回路１００である場合、処理回路１００は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、または、これらを組み合わせたものが該当する。
また、チューナ制御部４０、受信可否判定部４１および受信ステップ決定部４２の各部の機能をそれぞれ処理回路で実現してもよいし、各部の機能をまとめて１つの処理回路で実現してもよい。
【００２４】
図３Ｂに示すように、上記処理回路がＣＰＵ１０１である場合、チューナ制御部４０、受信可否判定部４１、受信ステップ決定部４２の機能は、ソフトウェア、ファームウェアまたはソフトウェアとファームウェアとの組み合わせにより実現される。
ソフトウェアとファームウェアはプログラムとして記述され、メモリ１０２に格納される。ＣＰＵ１０１は、メモリ１０２に格納されたプログラムを読み出して実行することにより、各部の機能を実現する。
すなわち、放送受信機１は、ＣＰＵ１０１によって実行されるときに、図４に示したステップＳＴ１からステップＳＴ３までの処理が結果的に実行されるプログラムを格納するためのメモリ１０２を備える。また、これらのプログラムは、チューナ制御部４０、受信可否判定部４１、受信ステップ決定部４２の手順または方法をコンピュータに実行させるものである。
【００２５】
ここで、メモリとは、例えば、ＲＡＭ（Ｒａｎｄｏｍ  Ａｃｃｅｓｓ  Ｍｅｍｏｒｙ）、ＲＯＭ、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの不揮発性または揮発性の半導体メモリ、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｋ）などが該当する。
【００２６】
なお、チューナ制御部４０、受信可否判定部４１、受信ステップ決定部４２の各機能について一部を専用のハードウェアで実現し、一部をソフトウェアまたはファームウェアで実現してもよい。例えば、チューナ制御部４０は、専用のハードウェアの処理回路１００でその機能を実現し、受信可否判定部４１および受信ステップ決定部４２は、ＣＰＵ１０１が、メモリ１０２に格納されたプログラム実行することによりその機能を実現する。
このように、上記処理回路は、ハードウェア、ソフトウェア、ファームウェア、またはこれらの組み合わせによって前述の機能を実現することができる。
【００２７】
次に動作について説明する。
図５は実施の形態１に係る放送受信機１の具体的な動作を示すフローチャートであり、現在の地域に対応する受信ステップ（９ｋＨｚまたは１０ｋＨｚ）を判定してＡＭラジオの受信周波数を確定する一連の処理を示している。
図５におけるステップＳＴ１ａ、ステップＳＴ２ａおよびステップＳＴ４ａの処理は、図４に示したステップＳＴ１の詳細な処理の一例である。またステップＳＴ３ａおよびステップＳＴ５ａの処理は、図４に示したステップＳＴ２の詳細な処理の一例であり、ステップＳＴ６ａからステップＳＴ８ａの処理は、図４に示したステップＳＴ３の詳細な処理の一例である。従って、図４の各ステップの動作は、図５の各ステップを説明することにより明らかになるため、以下、図５に基づいて説明を行う。
なお、図５のステップＳＴ９ａからステップＳＴ１１ａまでの処理は、受信ステップが確定した後の通常のシーク動作を示している。
【００２８】
まず、チューナ制御部４０は、ＡＭラジオ放送の受信ステップが確定済みであるか否かを確認する（ステップＳＴ１ａ）。例えば、チューナ制御部４０は、放送受信機１の電源がオフされると、それまでに確定された受信ステップを消去する。
放送受信機１が起動して最初に放送局をシークする場合、チューナ制御部４０は、ＡＭラジオ放送の受信ステップは確定されていないと判定する（ステップＳＴ１ａ；ＮＯ）。
【００２９】
このとき、チューナ制御部４０は、チューナ回路３に対して９ｋＨｚの受信ステップで受信周波数をチューナ回路３に設定する（ステップＳＴ２ａ）。ここで、チューナ回路３には、９ｋＨｚの受信ステップでの下端周波数である５２２ｋＨｚが受信周波数として設定される。チューナ回路３は、アンテナ２で受信されたＲＦ信号から受信周波数の受信信号を抽出し、この受信信号の電界強度をチューナ制御部４０へ出力する。チューナ制御部４０は、チューナ回路３から入力した受信信号の電界強度を受信可否判定部４１に出力する。
【００３０】
受信可否判定部４１は、チューナ制御部４０により設定された受信周波数の放送が受信可能であるか否かを判定する（ステップＳＴ３ａ）。例えば、前述したように、受信可否判定部４１は、チューナ制御部４０から入力した受信信号の電界強度を、予め設定された受信可能な電界強度の下限値と比較して、この下限値未満である場合、受信周波数の放送は受信不可であると判定し、下限値以上であれば、受信周波数の放送が受信可能であると判定する。
【００３１】
受信周波数の放送が受信不可であると判定すると（ステップＳＴ３ａ；ＮＯ）、受信可否判定部４１は、これをチューナ制御部４０に通知する。
チューナ制御部４０は、受信可否判定部４１から上記通知を受けると、チューナ回路３に対して１０ｋＨｚの受信ステップで受信周波数を設定する（ステップＳＴ４ａ）。
すなわち、チューナ回路３には、１０ｋＨｚの受信ステップでの下端周波数である５３０ｋＨｚが受信周波数として設定される。
チューナ回路３は、上記と同様に、アンテナ２で受信されたＲＦ信号から受信周波数の受信信号を抽出し、この受信信号の電界強度をチューナ制御部４０へ出力する。チューナ制御部４０は、チューナ回路３から入力した受信信号の電界強度を受信可否判定部４１に出力する。
【００３２】
受信可否判定部４１は、上記と同様に、チューナ制御部４０により設定された受信周波数の放送が受信可能であるか否かを判定する（ステップＳＴ５ａ）。
受信周波数の放送が受信不可であると判定すると（ステップＳＴ５ａ；ＮＯ）、受信可否判定部４１は、これをチューナ制御部４０に通知する。チューナ制御部４０は、受信可否判定部４１から上記通知を受けるとステップＳＴ２ａに戻り、９ｋＨｚの受信ステップでの次の周波数である５２９ｋＨｚをチューナ回路３に設定する。
このようにして、いずれかの受信ステップで設定された受信周波数の放送が受信可能と判定されるまで、図６において実線の矢印で示すように、９ｋＨｚの受信ステップと１０ｋＨｚの受信ステップとで交互に受信周波数がチューナ回路３に設定され、受信周波数の放送の受信可否が判定される。
【００３３】
受信可否判定部４１は、先に９ｋＨｚの受信ステップで設定された受信周波数の放送が受信可能であると判定すると（ステップＳＴ３ａ；ＹＥＳ）、これをチューナ制御部４０に通知する。チューナ制御部４０は、受信可否判定部４１から上記通知を受けると、このときの受信周波数をシーク結果として確定する（ステップＳＴ６ａ）。
また、受信可否判定部４１によって先に１０ｋＨｚの受信ステップで設定された受信周波数の放送が受信可能であると判定された場合（ステップＳＴ５ａ；ＹＥＳ）、チューナ制御部４０は、同様にして、このときの受信周波数をシーク結果として確定する。
【００３４】
すなわち、受信可否判定部４１は、例えば、先に９ｋＨｚの受信ステップで設定された受信周波数の放送を受信可能と判定すると、チューナ制御部４０に指示して１０ｋＨｚの受信ステップでの受信周波数の設定を停止させ、図６において鎖線の矢印で示すように、９ｋＨｚの受信ステップで順に受信周波数をチューナ回路３に設定させる。これにより、受信可否判定部４１は、９ｋＨｚの受信ステップで順に設定された受信周波数の放送の受信可否を判定する。例えば、図６に示すように、先に５４９ｋＨｚの放送が受信可能と判定されると、９ｋＨｚの受信ステップで５５８ｋＨｚ、５６７ｋＨｚが順に設定される。
【００３５】
先に１０ｋＨｚの受信ステップで設定された受信周波数の放送が受信可能と判定された場合も同様にして、図６において鎖線の矢印で示すように、１０ｋＨｚの受信ステップで順に受信周波数がチューナ回路３に設定される。
例えば、図６に示すように、先に５５０ｋＨｚの放送が受信可能と判定された場合は、１０ｋＨｚの受信ステップで５６０ｋＨｚ、５７０ｋＨｚが順に設定される。
【００３６】
次に、受信ステップ決定部４２は、ステップＳＴ６ａで受信周波数を確定した受信ステップで順に設定された受信周波数の放送が、予め定められた回数以上連続して受信可能と判定されたか否かを確認する（ステップＳＴ７ａ）。
例えば、予め設定された回数が３回であり、９ｋＨｚの受信ステップで５４９ｋＨｚ、５５８ｋＨｚ、５６７ｋＨｚが順に設定された場合、受信ステップ決定部４２は、これらの受信周波数の放送が連続して受信可能と判定されたか否かを確認する。
【００３７】
ステップＳＴ６ａで受信周波数を確定した受信ステップで順に設定された受信周波数の放送が予め定められた回数以上連続して受信可能と判定された場合（ステップＳＴ７ａ；ＹＥＳ）、受信ステップ決定部４２は、このときの受信ステップをＡＭラジオの受信ステップに決定してチューナ制御部４０に設定する。これによりＡＭラジオの受信ステップが確定される（ステップＳＴ８ａ）。
【００３８】
例えば、予め設定された回数が３回であり、９ｋＨｚの受信ステップで順に設定された５４９ｋＨｚ、５５８ｋＨｚ、５６７ｋＨｚの放送が連続して受信可能と判定された場合には、ＡＭラジオの受信ステップが９ｋＨｚに確定される。
同様に、予め設定された回数が３回であり、１０ｋＨｚの受信ステップで順に設定された５５０ｋＨｚ、５６０ｋＨｚ、５７０ｋＨｚの放送が連続して受信可能と判定された場合は、ＡＭラジオの受信ステップが１０ｋＨｚに確定される。
これにより、最初に受信周波数の放送が受信可能と判定された受信ステップが集中して判定され、受信ステップの判定を迅速に行うことができる。
【００３９】
一方、ステップＳＴ６ａで受信周波数を確定した受信ステップで順に設定された受信周波数の放送が予め定められた回数以上連続して受信可能と判定されなかった場合（ステップＳＴ７ａ；ＮＯ）、受信ステップ決定部４２がＡＭラジオの受信ステップを決定せずに処理を終了する。この場合、ＡＭラジオの受信周波数は確定されているため、この受信周波数の放送を受信することになる。受信ステップが確定されていないので、周期的または放送受信機１が起動したときに実施される次回のシークにおいて、ステップＳＴ１ａからの処理が実行される。
【００４０】
また、受信ステップが確定済みであった場合（ステップＳＴ１ａ；ＹＥＳ）、チューナ制御部４０は、確定済みの受信ステップで受信周波数をチューナ回路３に設定する（ステップＳＴ９ａ）。
次に、受信可否判定部４１は、確定済みの受信ステップで設定可能な全ての受信周波数のうち、放送の受信が可能な周波数があるか否かを判定する（ステップＳＴ１０ａ）。
このとき、放送の受信が可能な受信周波数が見つからない場合（ステップＳＴ１０ａ；ＮＯ）、確定済みの受信ステップに対応する地域から放送受信機１が移動した可能性がある。そこで、チューナ制御部４０は、確定済みの受信ステップを消去して、ステップＳＴ２ａの処理に戻り、受信ステップの判定を行う。このようにすることで、受信ステップの切り替えを的確に実行することができる。
なお、放送の受信が可能な受信周波数が見つかった場合（ステップＳＴ１０ａ；ＹＥＳ）、チューナ制御部４０は、このときの受信周波数をシーク結果として確定する（ステップＳＴ１１ａ）。
【００４１】
以上のように、実施の形態１に係る放送受信機１は、ＡＭラジオの放送周波数帯域において９ｋＨｚの受信ステップと１０ｋＨｚの受信ステップとで交互に受信周波数をチューナ回路３に設定して受信周波数の放送の受信可否を判定し、この判定結果に基づいてＡＭラジオ放送の受信ステップを決定する。これにより、現在の地域に対応する受信ステップを効率よく判定することができ、その判定結果に基づいて受信ステップを自動で切り替えることができる。
【００４２】
また、実施の形態１に係る放送受信機１において、チューナ制御部４０は、受信可否判定部４１によって受信周波数の放送が受信可能であると判定されると、このときの受信ステップで受信周波数を順に設定する。受信ステップ決定部４２は、チューナ制御部４０によって順に設定された受信周波数の放送が、予め定められた回数以上連続して受信可否判定部４１によって受信可能と判定された場合に、このときの受信ステップを、ＡＭラジオの受信ステップに決定する。これにより最初に受信周波数の放送が受信可能と判定された受信ステップが集中して判定され、受信ステップの判定を迅速に行うことができる。
【００４３】
さらに、実施の形態１に係る放送受信機１において、チューナ制御部４０は、異なる受信ステップのいずれかの受信ステップが確定している場合、受信対象の放送周波数帯域において当該受信ステップでチューナ回路３に設定し、当該受信ステップでチューナ回路３に設定した全ての受信周波数の放送が、受信可否判定部４１により受信不可と判定されると、異なる受信ステップで交互に受信周波数をチューナ回路３に設定する。これにより、受信ステップの異なる地域に放送受信機１が移動しても、移動先の地域に対応した受信ステップの判定と切り替えを的確に実行することができる。
【００４４】
上記実施の形態１では、この発明に係る放送受信機１がＡＭラジオ受信機である場合を示したが、これに限定されるものではない。
例えば、ＦＭ（Ｆｒｅｑｕｅｎｃｙ  Ｍｏｄｕｌａｔｉｏｎ）放送においても、地域によって１００ｋＨｚの受信ステップと２００ｋＨｚの受信ステップがある。従って、この発明に係る放送受信機１をＦＭ放送に適用しても上記と同様の効果を得ることができる。すなわち、この発明は、地域によって放送用搬送波の周波数間隔が異なる放送であれば、ＡＭ放送、ＦＭ放送に限らず、適用可能である。
【００４５】
なお、本発明はその発明の範囲内において、実施の形態の任意の構成要素の変形、もしくは実施の形態の任意の構成要素の省略が可能である。
【産業上の利用可能性】
【００４６】
この発明に係る放送受信機は、現在の地域に対応した受信ステップを効率よく判定して自動で切り替えることができるので、例えば、車載用の放送受信機に好適である。
【符号の説明】
【００４７】
１  放送受信機、２  アンテナ、３  チューナ回路、４  制御部、５  入力回路、６  音声出力回路、７  表示制御回路、８  スピーカ、９  モニタ、４０  チューナ制御部、４１  受信可否判定部、４２  受信ステップ決定部、１００  処理回路、１０１  ＣＰＵ、１０２  メモリ。
【図１】
2017077593.tif 000003
【図２】
2017077593.tif 000004
【図３Ａ】
2017077593.tif 000005
【図３Ｂ】
2017077593.tif 000006
【図４】
2017077593.tif 000007
【図５】
2017077593.tif 000008
【図６】
2017077593.tif 000009
【国際調査報告】
2017077593.tif 000010
2017077593.tif 000011